(57)【要約】      （修正有）【課題】仏壇の前に常備し、マッチを常に便利に使えて、燃えカスの始末も常に整然とでき、且つ特別な場の風情を損なわない仏壇用マッチ収納兼着火具セットを提供する。【解決手段】マッチ棒８の３分の２程の高さの取っ手２付き陶器製円筒形マッチ入れの周囲に着火用赤燐布３を張ったマッチ収納兼着火具本体１と、使用済みのマッチ棒を捨てるための消化壺４及びそれらを決まった場所に並べ置いておくための置き皿６を３点セットとして使用する。【選択図】図４
0003195279.tif 000002
【実用新案登録請求の範囲】
【請求項１】
マッチ収納兼着火具本体と消火壺と置き皿とが、それぞれ相互に分離しつつ、ワンセットの部分品として、使用時には共に同時にワンセットの形で使用されるのであるが、マッチ収納兼着火具本体は、その中に一掴みのマッチ棒を立て置いた時に、マッチ棒の３分の１ぐらいが上に突き出る程の高さで円筒状を成し、円筒の外周壁面に周回する形で赤燐布を設置し、円筒の下方は閉じられて底面を有し、上方は開口し、開口縁を跨ぐ形で取っ手を設けるのであって、消火壺は、同様に底が閉じられた円筒状であるが、上方は被せ外し自由な蓋が付き、蓋の中心部に、燃え残ったマッチ棒を速やかに消火すると共に一時的に保管するためにサッと差し込むための小孔・マッチ棒燃えカス差し入れ孔を設けるのであり、置き皿は、その上にマッチ収納兼着火具本体と消火壺とが、数センチの近距離で据え置く事ができる程度の面積があればよく、皿面の縁際は、やや外開きに浅く立ち上がって周回塀状を成しているのであって、これら三つの要素は、使用においては置き皿の皿面を介して常に一心同体の如くワンセットを構成し、たまに洗浄する場合は、必要な要素部分のみを取り出せばよく、最も好ましくは、この其々のいずれもが陶器製がベターであることを特徴とする仏壇用マッチ収納兼着火具セット。
【考案の詳細な説明】
【技術分野】
【０００１】  本考案は、仏壇の灯明を点けるためのマッチ収納兼着火具セットに関するものである。
【背景技術】
【０００２】  仏壇に線香を供える際に燈明を灯すためにマッチやライターを使用している。マッチは、軽く紙箱なので紛失しやすく探すことがしばしばあり、空箱であることもある。また、ライターは、規制により着火バネがかたく改造され、着火に苦心することが多い。着火の炎も大きく、危険を感じつつ使用している。
マッチ使用後は線香立ての香炉にマッチを捨てる家庭もあり、その際には灰が飛び散ったり、香炉が捨て場になって仏壇が不浄に見えてしまう。尚、仏壇の前をきれいに整えおくためのろうそく及び線香等の収納整理用具も知られている（特許文献１参照）。
【先行技術文献】
【特許文献】
【０００３】
【特許文献１】登録実用新案第３０９４６６４号公報
【考案の概要】
【考案が解決しようとする課題】
【０００４】  マッチを置いた場所が分からない、空箱だった、マッチを使用したあとの始末に困る、タバコを吸わないのでライターが無い、ライターのバネがかたく着火が困難、ライターの炎が大きく危険である等々、日常的な困り事である。何よりも仏壇の前はきれいに整頓してありたいし、単なる便利品ではなく、場所に似つかわしい和風でありたい。文献１に示される先行技術は、ろうそくや線香を立て置いて、いつでも気持ち良く使えるように収納整理用具としては評価できるが、使用によって必ず処分せざるを得ない着火と燃えカスの問題を見過ごしている。
本考案は、以上の問題点を解決するために考案したものである。
【課題を実現するための手段】
【０００５】  マッチ収納兼着火具本体と消火壺と置き皿とが、それぞれ相互に分離しつつ、ワンセットの部分品として、使用時には共に同時にワンセットの形で使用される。マッチ収納兼着火具本体は、その中に一掴みのマッチ棒を立て置いた時に、マッチ棒の３分の１ぐらいが上に突き出る程の高さで円筒状を成し、円筒の外周壁面に周回する形で赤燐布を設置し、円筒の下方は閉じられて底面を有し、上方は開口し、開口縁を跨ぐ形で取っ手を設ける。消火壺は、同様に底が閉じられた円筒状であるが、上方は被せ外し自由な蓋が付き、蓋の中心部に、燃え残ったマッチ棒を速やかに消火すると共に一時的に保管するためにサッと差し込むための小孔・マッチ棒燃えカス差し入れ孔を設ける。置き皿は、その上にマッチ収納兼着火具本体と消火壺とが、数センチの近距離で据え置く事ができる程度の面積があればよく、皿面の縁際は、やや外開きに浅く立ち上がって周回塀状を成す。これら三つの要素は、使用においては置き皿の皿面を介して常に一心同体の如くワンセットを構成し、たまに洗浄する場合は、必要な要素部分のみを取り出せばよく、最も好ましくは、この其々のいずれもが陶器製がベターである。
以上を特徴とする仏壇用マッチ収納兼着火具セットである。
【考案の効果】
【０００６】  常時マッチの所在がわかり、マッチの本数が外観で確認できる。陶器なので重量的に安定感があり、取っ手がついていて持ちやすい。軽い力で着火できるため使用勝手が良い。外観が美しく、仏壇の風情にしっくりくる。着火後のマッチを捨てる容器は陶器なので安全で消火も早い。香炉で消火しないことにより灰が飛び散らず、燃え残ったマッチ棒が灰の中にもぐり積み重なり、取り出しにくく始末に困るということにもならない。また、着火・消火の繰り返しの過程で僅かづつでも下にこぼれ落ちたカスは、皿面の縁際が浅く塀状に周回して形成してあるので、周囲に散乱する心配もない。
【図面の簡単な説明】
【０００７】
【図１】本考案の一部であるマッチ収納兼着火具本体の斜視図
【図２】本考案の一部である消火壺の斜視図
【図３】本考案の一部である置き皿の斜視図
【図４】本考案の使用状態を示す斜視図
【考案を実施するための形態】
【０００８】  以下、本考案の実施の形態を説明する。
マッチ収納兼着火具本体（１）と消火壺（４）と置き皿（６）とが、それぞれ相互に分離しつつ、ワンセットの部分品として、使用時には共に同時にワンセットの形で使用される。マッチ収納兼着火具本体（１）は、その中に一掴みのマッチ棒（８）を立て置いた時に、マッチ棒（８）の３分の１ぐらいが上に突き出る程の高さで円筒状を成し、円筒の外周壁面に周回する形で赤燐布（３）を設置し、円筒の下方は閉じられて底面を有し、上方は開口し、開口縁を跨ぐ形で取っ手（２）を設ける。消火壺（４）は、同様に底が閉じられた円筒状であるが、上方は被せ外し自由な蓋（５）が付き、蓋（５）の中心部に、燃え残ったマッチ棒（９）を速やかに消火すると共に一時的に保管するためにサッと差し込むための小孔・マッチ棒燃えカス差し入れ孔（７）を設ける。置き皿（６）は、その上にマッチ収納兼着火具本体（１）と消火壺（４）とが、数センチの近距離で据え置く事ができる程度の面積があればよく、皿面の縁際（１０）は、やや外開きに浅く立ち上がって周回塀状を成す。これら三つの要素は、使用においては置き皿（６）の皿面（１１）を介して常に一心同体の如くワンセットを構成し、たまに洗浄する場合は、必要な要素部分のみを取り出せばよく、最も好ましくは、この其々のいずれもが陶器製がベターである。しかしながら、火気に対し安全な素材であれば、仏壇の風情を損なわない限りにおいて、他の素材であっても差し支えない。
本考案は、以上のような構成であり、これを実際に使用する場合は、マッチ収納兼着火具本体（１）の取っ手（２）を持ち一方の片手でマッチ棒（８）を取り、赤燐布（３）に接触摩擦させて擦り着火し、ローソクや線香に点火する。点火し終わった後の燃え残ったマッチ棒（９）は、消火壺（４）の蓋（５）の上部のマッチ棒燃えカス差し入れ孔（７）入れることにより、消火すると同時に燃え残ったマッチ棒（９）の一時的な保管場所ともなる。消化壺（４）に一時的に保管された燃え残ったマッチ棒（９）は、被せ外し自由な蓋（５）を外して捨てればよく、その際、消化壺（４）や蓋（５）が汚れていれば洗浄する。また、着火・消化の繰り返しの過程で僅かづつでも置き皿（６）にこぼれ落ちたカスも、時折置き皿（６）を洗浄することにより、常に清潔に保つことができる。洗浄する場合には、必要な要素部分のみを取り出せばよい。
【符号の説明】
【０００９】１．マッチ収納兼着火具本体、  ２．取っ手、  ３．赤燐布、  ４．消火壺、
５．蓋、  ６．置き皿、  ７．マッチ棒燃えカス差し入れ孔、  ８．マッチ棒、
９．燃え残ったマッチ棒、  １０．皿面の縁際、  １１．皿面
【図１】
0003195279.tif 000003
【図２】
0003195279.tif 000004
【図３】
0003195279.tif 000005
【図４】
0003195279.tif 000006
【手続補正書】
【提出日】平成26年8月22日(2014.8.22)
【手続補正１】
【補正対象書類名】明細書
【補正対象項目名】０００２
【補正方法】変更
【補正の内容】
【０００２】  仏壇に線香を供える際に燈明を灯すためにマッチやライターを使用している。マッチは、
0003195279.tif 000007
は、規制により着火バネがかたく改造され着火に苦心することが多い。マッチの使用後は、線香立ての香炉にマッチを捨てる家庭もあり、その際には灰が飛び散ったり香炉が捨て場になって仏壇が不浄に見えてしまう。尚、仏壇の前をきれいに整えておくためのろうそく及び線香等の収納整理用具も知られている（特許文献１参照）。
【手続補正２】
【補正対象書類名】明細書
【補正対象項目名】０００４
【補正方法】変更
【補正の内容】
【考案が解決しようとする課題】
【０００４】
マッチを置いた場所が分からない、空箱だった、マッチを使用したあとの始末に困る、タバコを吸わないのでライターが無い、ライターのバネがかたく着火が困難、ライターのガス欠等々、日常的な困り事である。何よりも仏壇の前はきれいに整頓してありたいし単なる便利品ではなく、場所に似つかわしい和風でありたい。文献１に示される先行技術は、ろうそくや線香を立て置いて、いつでも気持よく使えるように収納整理用具としては、評価できるが、使用によって必ず行なわなければならない着火と焼えカスの問題を見過している。
【手続補正書】
【提出日】平成26年10月15日(2014.10.15)
【手続補正１】
【補正対象書類名】実用新案登録請求の範囲
【補正対象項目名】請求項１
【補正方法】変更
【補正の内容】
【請求項１】
マッチ収納兼着火具本体と消火壺と置き皿とがそれぞれ相互に分離しつつワンセットの部品として使用時には共にワンセットの形で使用されるのであるが・マッチ収納兼着火具本体はその中に一掴みのマッチ棒を立て置いた時にマッチ棒の３分の１ぐらいが上に突き出る程の高さで円筒状を成し円筒の外周壁面に周回する形で赤燐布を設置し円筒の下方は閉じられて底面をなし上方は開口し開口縁を跨ぐ形でマッチ棒の分散を防ぐことも兼ねた取っ手を付け・消火壺は同様に底が閉じられた円筒状であるが・上方と・下方・で組み上方の筒は被せ外し自由な蓋とし  蓋の中心部に使用後のマッチ棒を速やかに消火する為にサッと差し込む・小孔を設け下方の筒は一時的に使用済みマッチ棒を保管し・置き皿はその上に・マッチ収納兼着火具本体と・消化壺とが数センチの近距離で据え置く事ができる程度の面積があればよい小皿で皿面の縁はやや外開きに浅く立ちあがって周回壁状を成しこれら三つは使用時においては置き皿の皿面を介して常にワンセットを構成し汚れた時には必要な部分を取り出し洗浄すればよいことを特徴とする仏壇用マッチ収納兼着火具セット。
【手続補正２】
【補正対象書類名】明細書
【補正対象項目名】０００２
【補正方法】変更
【補正の内容】
【０００２】仏壇に線香を供える際に灯明を灯すためにマッチやライターを使用するライターは法の規制により以前よりバネが硬く改造され着火に苦心することが多くマッチはマッチ箱の多くが紙の材質で造られ小さく軽く出来ており紛失しやすく探すことがしばしばで又箱の内が見えないため空だったりするマッチを使い着火した時使用後のマッチ棒を香炉の内の灰に刺して消火する家庭もありその際には香炉内の灰が周囲に飛び散ったり香炉内が一時的にせよマッチ燃えカスの捨て場になり仏壇周囲が不浄になりやすい尚仏壇の前をきれいに整える為のろうそく及び線香等の収納整理用具は知られている。（特許文献１参照）
【手続補正３】
【補正対象書類名】明細書
【補正対象項目名】０００５
【補正方法】変更
【補正の内容】
【０００５】マッチ収納兼着火具本体・消化壺・置き皿・の３点が、それぞれ相互に分離しつつ、ワンセットの部品として、使用時には共に同時にワンセットの形で使用される・マッチ収納兼着火具本体はその中に一掴みのマッチ棒を立て置いた時にマッチ棒の３分の１ぐらいが上に突き出る程の高さで円筒状を成し円筒の外周壁面に周回する形で赤燐布を設置し円筒の下方は閉じられて底面をなし上方は開口し開口縁を跨ぐ形でマッチ棒の分散を防ぐことも兼ねた取っ手を付ける・消化壺は同様に底が閉じられた円筒状であるが・上方と・下方で組み  上方の筒は被せ外し自由な蓋とし蓋の中心部に使用後のマッチ棒を速やかに消火するためサッと差し込む・小孔を設け下方の筒は一時的に使用済みマッチ棒を保管・置き皿はその上に・マッチ収納兼着火具本体・消火壺の２点が、数センチの近距離で据え置くことができる程度の面積があればよい小皿であって皿面の縁はやや外開きに浅く立ち上がり周回壁状を成しこれら三つの要素は使用においては置き皿の皿面を介して常にワンセットを構成し、汚れた時には必要な部分のみを取り出して洗浄すればよい。
【手続補正４】
【補正対象書類名】明細書
【補正対象項目名】０００８
【補正方法】変更
【補正の内容】
【０００８】以下、本考案の実施の形態を説明する    マッチ収納兼着火具本体（１）と消火壺（４）と置き皿（６）とがそれぞれ相互に分離しつつワンセットの部品として使用時には共に同時にワンセットの形で使用され  マッチ収納兼着火具本体（１）はその中に一掴みのマッチ棒（８）を立て置いたときにマッチ棒（８）の３分の１ぐらいが上に突き出る程の高さで円筒状を成し円筒の外周壁面に周回する形で赤燐布（３）を設置し円筒の下方は閉じられて底面を有し上方は開口し開口縁を跨ぐ形で取っ手（２）を設ける消火壺（４）は同様に底が閉じられた円筒状であるが上方は被せ外し自由な蓋（５）が付き蓋（５）の中心部に燃え残ったマッチ棒（９）を速やかに消火すると共に一時的に保管するためにサッと差し込むための小孔である  マッチ棒燃えカス差し入孔（７）を設ける置き皿（６）はその上にマッチ収納兼着火具本体（１）と消火壺（４）とが数センチの近距離で据え置く事ができる程度の面積があればよく皿面の縁際（１０）はやや外開きに浅く立ち上がって周回壁状をなすこれら三つの部分は、使用においては置き皿（６）の皿面（１１）を介して常にワンセットを構成したまに洗浄する場合は必要な部分のみを取り出せばよい本考案は以上のような構成でありこれを実際に使用する場合はマッチ収納兼着火具本体（１）の取っ手（２）を持ち一方の片手でマッチ棒（８）を取り赤燐布（３）に接触摩擦させて擦り着火し、ローソクや線香に点火する点火し終わった後の燃え残ったマッチ棒（９）は消火壺（４）の  蓋（５）の小孔にサッと差込み速やかに消火する消火壺の受け壺（４）は燃えカスマッチ棒を一時的に保管し汚れていればそれぞれ個々に洗浄するまた着火・消火・の繰り返しの過程で僅かづつでも置き皿（６）にこぼれ落ちたカスも時折置き皿（６）を洗浄することにより常に清潔に保つことができる。